(57)【特許請求の範囲】
【請求項１】
コイン等のような薄板が係合される溝を有する蓋であって、
前記溝は、第１の幅で延在する第１の係合溝と、前記第１の幅よりも小さな第２の幅で延在する第２の係合溝とからなり、
前記第１の係合溝はその底面が第１の曲率半径により円弧状に形成され、
前記第２の係合溝は前記第１の係合溝の底面に、その底面が前記第１の曲率半径よりも小さな第２の曲率半径により円弧状に形成されている、
ことを特徴とする蓋。
【請求項２】
端面と外周面を有し、前記端面にコイン等のような薄板が係合される係合溝が形成され、前記外周面に、回転することで開口部に係脱する係合手段が設けられた蓋であって、
前記係合溝は、第１の幅で延在する第１の係合溝と、前記第１の幅よりも小さな第２の幅で延在する第２の係合溝とからなり、
前記第１の係合溝はその底面が第１の曲率半径により円弧状に形成され、
前記第２の係合溝は前記第１の係合溝の底面に、その底面が前記第１の曲率半径よりも小さな第２の曲率半径により円弧状に形成されている、
ことを特徴とする蓋。
【請求項３】
前記第２の係合溝は、第１の係合溝の幅方向の中央に形成されている請求項１乃至２に何れか１項記載の蓋。
【請求項４】
前記第１の係合溝の延在方向と、第２の係合溝の延在方向は平行している請求項１乃至３に何れか１項記載の蓋。
【請求項５】
前記第１の係合溝の延在方向の中央と、第２の係合溝の延在方向の中央はほぼ一致している請求項１乃至４に何れか１項記載の蓋。
【請求項６】
前記蓋は、前記第１の係合溝と第２の係合溝が形成される端面と、前記端面からほぼ直交する方向に延在する外周面を備え、前記外周面には蓋が回転することで開閉されるための係合手段が形成されている請求項１、３、４または５記載の蓋。
【請求項７】
前記端面の中心に、第１の係合溝の延在方向の中央と、第２の係合溝の延在方向の中央が位置している請求項２乃至６に何れか１項記載の蓋。
【請求項８】
前記端面は円形である請求項２乃至７に何れか１項記載の蓋。
【請求項９】
前記係合手段は雄ねじである請求項２乃至８に何れか１項記載の蓋。
【請求項１０】
前記係合手段は前記外周面から該外周面の半径方向外方に突設された突起である請求項２乃至８に何れか１項記載の蓋。
【請求項１１】
前記蓋は、電池室を開閉する電池蓋である請求項１乃至１０に何れか１項記載の蓋。
【請求項１２】
前記端面と反対側の端面に接片が設けられている請求項１１記載の蓋。
【発明の詳細な説明】
【０００１】
【発明の属する技術分野】
本発明はコイン等を用いて回転させることで開口部を開閉する蓋に関する。
【０００２】
【従来の技術】
各種電気、電子機器や器具の電池室には、電池を挿脱するため開口部が設けられ、この開口部を開閉する蓋として、コイン等を用いて回転させる方式のものが多く用いられている。
この種の蓋は、例えば、開口部の雌ねじに螺合する雄ねじが形成された胴部と、コインが係合される円弧状の係合溝が形成された端面とを備える。
そして、開口部を開閉する際には、前記係合溝にコインを係合させ、コインを介して蓋を回転させる操作がなされる。
【０００３】
【発明が解決しようとする課題】
従来、上述のような蓋の端面には、前記円弧状の係合溝が一つ形成されているのみである。
従って、少量のコインしか持ち合わせていない場合、そのコインの幅が円弧状の係合溝の幅よりも大きいとコインを係合溝に係合させることができず、蓋を開閉できない可能性が大きい。
また、そのコインの幅が円弧状の係合溝の幅よりも大分小さいと、コインにより係合溝の縁を欠損させる等の不具合が生じる。
本発明は前記事情に鑑み案出されたものであって、本発明の目的は、少量のコインしか持ち合わせていない場合であっても、係合溝の縁を欠損させることなく開閉できる可能性を高め、実用的価値を高めることができる蓋を提供することにある。
【０００４】
【課題を解決するための手段】
前記目的を達成するため本発明は、コイン等のような薄板が係合される溝を有する蓋であって、前記溝は、第１の幅で延在する第１の係合溝と、前記第１の幅よりも小さな第２の幅で延在する第２の係合溝とからなり、前記第１の係合溝はその底面が第１の曲率半径により円弧状に形成され、前記第２の係合溝は前記第１の係合溝の底面に、その底面が前記第１の曲率半径よりも小さな第２の曲率半径により円弧状に形成されていることを特徴とする。
また、本発明は、端面と外周面を有し、前記端面にコイン等のような薄板が係合される係合溝が形成され、前記外周面に、回転することで開口部に係脱する係合手段が設けられた蓋であって、前記係合溝は、第１の幅で延在する第１の係合溝と、前記第１の幅よりも小さな第２の幅で延在する第２の係合溝とからなり、前記第１の係合溝はその底面が第１の曲率半径により円弧状に形成され、前記第２の係合溝は前記第１の係合溝の底面に、その底面が前記第１の曲率半径よりも小さな第２の曲率半径により円弧状に形成されていることを特徴とする。
【０００５】
また、本発明は、前記第２の係合溝が、第１の係合溝の幅方向の中央に形成されていることを特徴とする。
また、本発明は、前記第１の係合溝の延在方向と、第２の係合溝の延在方向は平行していることを特徴とする。
また、本発明は、前記第１の係合溝の延在方向の中央と、第２の係合溝の延在方向の中央はほぼ一致していることを特徴とする。
また、本発明は、前記蓋が、前記第１の係合溝と第２の係合溝が形成される端面と、前記端面からほぼ直交する方向に延在する外周面を備え、前記外周面には蓋が回転することで開閉されるための係合手段が形成されていることを特徴とする。
また、本発明は、前記端面の中心に、第１の係合溝の延在方向の中央と、第２の係合溝の延在方向の中央が位置していることを特徴とする。
また、本発明は、前記端面が円形であることを特徴とする。
また、本発明は、前記係合手段が雄ねじであることを特徴とする。
また、本発明は、前記係合手段が前記外周面から該外周面の半径方向外方に突設された突起であることを特徴とする。
【０００６】
また、本発明は、前記蓋が電池室を開閉する電池蓋であることを特徴とする。
また、本発明は、前記端面と反対側の端面に接片が設けられていることを特徴とする。
【０００７】
【発明の実施の形態】
以下、本発明をカメラの電池蓋に適用した実施例について添付図面に従って説明する。
図１は電池蓋の平面図、図２は同断面正面図、図３は同断面側面図、図４は電池蓋により電池室を閉じた状態の断面図を示す。
図４に示すように、カメラの電池室２の開口部４は電池蓋６により開閉され、電池室２には電池８（乾電池）が収容される。
電池蓋６は、図１乃至図３に示すように、平面視円形の端面部１２と、前記端面部１２よりも小径で端面部１２から円柱状に膨出された胴部１４とからなる。
【０００８】
端面部１２の表面１６（特許請求の範囲の「端面」に相当）には、第１の幅Ｗ１で延在する第１の係合溝１８と、前記第１の幅Ｗ１よりも小さな第２の幅Ｗ２で延在する第２の係合溝２０が形成されている。
前記第１の係合溝１８はその底面１８０２が第１の曲率半径Ｒ１により円弧状に形成され、前記第２の係合溝２０は前記第１の係合溝１８の底面１８０２に、その底面２００２が前記第１の曲率半径Ｒ１よりも小さな第２の曲率半径Ｒ２により円弧状に形成されている。
この実施例では、前記第１の係合溝１８は５００円硬貨が係合できる寸法で形成され、前記第２の係合溝２０は１円硬貨が係合できる寸法で形成されている。前記第２の係合溝２０は、第１の係合溝１８の幅方向の中央で、第１の係合溝１８の延在方向と平行して延在形成されている。
第１の係合溝１８の延在方向の中央と、第２の係合溝２０の延在方向の中央はほぼ一致し、さらに、これら第１の係合溝１８と第２の係合溝２０の延在方向の中央と、端面部１２の表面１６の中心はほぼ一致して形成されている。
【０００９】
前記胴部１４の外周面１４０２には雄ねじ２２（特許請求の範囲の「係合手段」に相当）が形成され、また、胴部１４の端面には接片２４が取着されている。前記電池室２の開口部４には、前記雄ねじ２２に螺合する雌ねじ２６が形成され、雌ねじ２６の上端には前記端面部１２が収容される円形の凹部２８が形成されている。
電池室２に電池８を挿入し、雌ねじ２６に雄ねじ２２を合わせ電池蓋６を回転させ、雌ねじ２６と雄ねじ２２を螺合させて開口部４を電池蓋６で閉じると、前記接片２４が電池８の端子に接触し、かつ、回路基板等に接続される接片３０に接触する。
【００１０】
本実施例は前記のように構成されているので、電池蓋６を回転させて開口部４の開閉を行う場合、５００円硬貨と１円硬貨の二種類のコインの何れか一方を持ち合わせていれば、電池蓋６を開閉できる。
従って、少量のコインしか持ち合わせていない場合、電池蓋６を開閉できなかったり、また、係合溝の縁を欠損させる等の不具合を解消する上で有利となり、係合溝の縁を欠損させることなく電池蓋６を開閉できる可能性が高められ、係合溝を有する電池蓋の実用的価値が高められる。
【００１１】
次に、図５乃至図８を参照して第２実施例について説明する。
図５は電池蓋の断面正面図、図６は同底面図、図７は電池蓋により電池室を閉じた状態の断面図、図８は電池蓋と開口部部分の断面斜視図を示し、第１実施例と同様な箇所、部材には同一符号を付して説明する。
第２実施例に係る電池蓋６’は、前記第１の係合溝１８と第２の係合溝２０が形成された端面部１２と、端面部１２よりも小径で端面部１２から円柱状に膨出された胴部１４を備えている点において第１実施例と同様であるが、胴部１４の外周面１４０２に、雄ねじ２２の代わりに突起４０（特許請求の範囲の「係合手段」に相当）が形成されている点が前記第１実施例と異なる。
前記突起４０は、前記外周面１４０２の下端で周方向に１８０度の間隔をおいた箇所からそれぞれ半径方向外方に突設されている。
前記電池室２の開口部４の縁には、前記突起４０が挿通される溝５０が二つ形成され、電池蓋６’で開口部４を閉じる場合には、これら溝５０に突起４０を合わせ、電池蓋６’を押し込み、電池蓋６’を４５度回転させることにより突起４０を溝５０の底部の横溝５００２に係合させ、電池蓋６’を開ける場合には、電池蓋６’を４５度逆転させ、突起４０を溝５０から抜き出す。
このような第２実施例によっても、少量のコインしか持ち合わせていない場合、電池蓋６’を開閉できなかったり、また、係合溝の縁を欠損させる等の不具合を解消する上で有利となり、係合溝の縁を欠損させることなく電池蓋６’を開閉できる可能性が高められ、係合溝を有する電池蓋の実用的価値が高められる。
【００１２】
尚、係合手段の構成は雄ねじ２２や突起４０に限らず任意である。
また、本発明が適用される機器はカメラに限らず、各種電気、電子機器や器具の電池室の開口部や、その他の開口部を開閉する蓋全てに適用可能である。
【００１３】
【発明の効果】
以上の説明で明らかなように本発明は、コイン等のような薄板が係合される溝を有する蓋であって、前記溝は、第１の幅で延在する第１の係合溝と、前記第１の幅よりも小さな第２の幅で延在する第２の係合溝とからなり、前記第１の係合溝はその底面が第１の曲率半径により円弧状に形成され、前記第２の係合溝は前記第１の係合溝の底面に、その底面が前記第１の曲率半径よりも小さな第２の曲率半径により円弧状に形成されている。
また、本発明は、端面と外周面を有し、前記端面にコイン等のような薄板が係合される係合溝が形成され、前記外周面に、回転することで開口部に係脱する係合手段が設けられた蓋であって、前記係合溝は、第１の幅で延在する第１の係合溝と、前記第１の幅よりも小さな第２の幅で延在する第２の係合溝とからなり、前記第１の係合溝はその底面が第１の曲率半径により円弧状に形成され、前記第２の係合溝は前記第１の係合溝の底面に、その底面が前記第１の曲率半径よりも小さな第２の曲率半径により円弧状に形成されている。
そのため、少量のコインしか持ち合わせていない場合であっても、蓋を開閉できなかったり、また、係合溝の縁を欠損させる等の不具合を解消する上で有利となり、係合溝の縁を欠損させることなく蓋を開閉できる可能性が高められ、各種電気、電子機器や器具等で用いられる係合溝付きの蓋の実用的価値をより一層高めることが可能となる。
【図面の簡単な説明】
【図１】電池蓋の平面図である。
【図２】電池蓋の断面正面図である。
【図３】電池蓋の断面側面図である。
【図４】電池蓋により電池室を閉じた状態の断面図である。
【図５】第２実施例の電池蓋の断面正面図である。
【図６】第２実施例の電池蓋の底面図である。
【図７】電池蓋により電池室を閉じた状態の断面図である。
【図８】電池蓋と開口部部分の断面斜視図である。
【符号の説明】
２  電池室
４  開口部
６  電池蓋
６’  電池蓋
８  電池
１２  端面部
１４  胴部
１８  第１の係合溝
２０  第２の係合溝
２２  雄ねじ
４０  突起
【図１】
0003655705.tif 000002
【図２】
0003655705.tif 000003
【図３】
0003655705.tif 000004
【図４】
0003655705.tif 000005
【図５】
0003655705.tif 000006
【図６】
0003655705.tif 000007
【図７】
0003655705.tif 000008
【図８】
0003655705.tif 000009